(57)【特許請求の範囲】
【請求項１】
映像信号及び音声信号の２つの信号の所定信号処理後の位相差を自動調整する擬似雑音信号を用いた位相差調整装置において、
所定周期の第１の擬似雑音信号を発生する第１の擬似雑音発生手段と、
該第１の擬似雑音信号と同一周期の第２の擬似雑音信号を発生する第２の擬似雑音発生手段と、
前記所定信号処理前、映像信号の所定画素毎に、所定クロックで動作する第１の擬似雑音信号を付加する第１の擬似雑音信号付加手段と、
前記所定信号処理前、第１の擬似雑音信号を映像信号に付加するのと同位相で同時に、音声信号に第２の擬似雑音信号を付加する第２の擬似雑音信号付加手段と、
前記所定信号処理後、第１の擬似雑音信号と同一周期、同一パターンの第１の符号を有し、映像信号と第１の符号との相関値を演算することにより、映像信号の相関パルスを検出する第１の相関パルス検出手段と、
前記所定信号処理後、第２の擬似雑音信号と同一周期、同一パターンの第２の符号を有し、音声信号と第２の符号との相関値を演算することにより、音声信号の相関パルスを検出する第２の相関パルス検出手段と、
検出された映像信号及び音声信号の相関パルスに基づいて映像信号と音声信号との位相差を検出する位相差検出手段と、
検出された両信号の位相が一致するように両信号の位相差を調整する位相差調整手段と、
を備えたことを特徴とする擬似雑音信号を用いた位相差調整装置。
【請求項２】
前記所定信号処理は、少なくとも一方の信号を符号化圧縮及び復号化伸張する処理であることを特徴とする請求項１に記載の擬似雑音信号を用いた位相差調整装置。
【発明の詳細な説明】
【０００１】
【発明の属する技術分野】
本発明は、２つの信号の位相差を自動調整する擬似雑音信号を用いた位相差調整装置に関し、特に擬似雑音信号を用いて２つの信号の位相差の調整を行う技術に関する。
【０００２】
【従来の技術】
例えば、テレビジョン信号の映像信号は、一般に、符号化圧縮して伝送する等の信号処理が行われるため、画像の種類によって生成される符号量が異なってくる。したがって、このような信号処理が行われた後、映像信号の位相は変化し、映像信号と音声信号との位相がずれてくるため、映像信号と音声信号間で位相合わせを行う必要がある。
【０００３】
従来の位相差調整装置では、伝送線路との間に緩衝用のメモリを備えて音声信号の映像信号の遅延量を求め、音声信号の遅延時間を調整するようにしているが、位相差を調整するのに、映像信号と音声信号との特定位置にリファレンス信号を挿入し、その時間差を測定して、どちらか進んでいる方を遅らせるようにしている（特開平７−３８７７１号公報等参照）。この音声信号中のリファレンス信号に出現頻度の低い高周波の信号を用いている。
【０００４】
【発明が解決しようとする課題】
しかしながら、かかる従来の位相差調整装置のように、映像信号と音声信号との特定位置に高周波のリファレンス信号を挿入する方式では、類似の信号がない場合にはよいが、伝送路のノイズ等の影響を避ける必要があり、このため、リファレンス信号の保護を行う必要がある。
【０００５】
また、緩衝用のメモリでの遅延量を求めることは、生成される符号と伝送線路との関係を求めなければならず、容易ではない。また人間の目と耳で調整する方法では、遅延量を合わせるのに時間がかかり、その精度もあまりよくない。
本発明はこのような従来の課題に鑑みてなされたもので、擬似雑音信号を用いて２つの信号の位相差を簡単に自動調整できるような擬似雑音信号を用いた位相差調整装置を提供することを目的とする。
【０００６】
【課題を解決するための手段】
このため、請求項１の発明にかかる装置は、映像信号及び音声信号の２つの信号の所定信号処理後の位相差を自動調整する擬似雑音信号を用いた位相差調整装置において、所定周期の第１の擬似雑音信号を発生する第１の擬似雑音発生手段と、該第１の擬似雑音信号と同一周期の第２の擬似雑音信号を発生する第２の擬似雑音発生手段と、前記所定信号処理前、映像信号の所定画素毎に、所定クロックで動作する第１の擬似雑音信号を付加する第１の擬似雑音信号付加手段と、前記所定信号処理前、第１の擬似雑音信号を映像信号に付加するのと同位相で同時に、音声信号に第２の擬似雑音信号を付加する第２の擬似雑音信号付加手段と、前記所定信号処理後、第１の擬似雑音信号と同一周期、同一パターンの第１の符号を有し、映像信号と第１の符号との相関値を演算することにより、映像信号の相関パルスを検出する第１の相関パルス検出手段と、前記所定信号処理後、第２の擬似雑音信号と同一周期、同一パターンの第２の符号を有し、音声信号と第２の符号との相関値を演算することにより、音声信号の相関パルスを検出する第２の相関パルス検出手段と、検出された映像信号及び音声信号の相関パルスに基づいて映像信号と音声信号との位相差を検出する位相差検出手段と、検出された両信号の位相が一致するように両信号の位相差を調整する位相差調整手段と、を備えたものである。
【０００７】
かかる構成によれば、所定信号処理前、第１の擬似雑音信号付加手段により、映像信号の所定画素毎には、所定クロックで動作する第１の擬似雑音信号が付加され、また第２の擬似雑音信号付加手段により、音声信号の各信号毎には、第１の擬似雑音信号と動作クロックが異なっていても、その周期が一致する第２の擬似雑音信号が同位相で同時に付加される。この擬似雑音信号は、広帯域に拡散しているため、映像信号及び音声信号に影響を及ぼすことはないし、ノイズ等によっても影響されない。したがって、この擬似雑音信号を保護する必要はない。また、位相情報が分散するため、さらに一部の位相情報にノイズ等の影響があっても、検出能力には影響を受けない。また、この擬似雑音信号と同一周期、同一パターンの符号との相関値を演算すれば、擬似雑音信号と該符号とが一致した時刻で相関値が高くなり、相関パルスが発生する。したがって、映像信号及び音声信号の相関パルスが検出された時刻から、位相差検出手段により両信号の位相差が検出される。そして位相差調整手段により両信号の位相差が一致するように調整される。また、映像信号の信号量は音声信号の信号量に比べて多いが、容易に位相差を検出することが可能となり、位相差は精度よく調整される。このように、擬似雑音信号を用いれば、特定位置に位相検出用の信号が集中することもなく、しかも両信号の位相を検出することが可能となる。
【０００８】
請求項２の発明にかかる装置では、前記所定信号処理は、少なくとも一方の信号を符号化圧縮及び復号化伸張する処理である。
【０００９】
かかる構成によれば、符号化圧縮、復号化伸張処理により生成される符号量が異なっていても、両信号の位相差が精度よく調整される。
【００１０】
【発明の実施の形態】
以下、本発明の実施の形態を図１〜図７に基づいて説明する。
本実施の形態を示す図１において、擬似雑音信号を用いた位相差調整装置には、デジタルビデオ信号とデジタルオーディオ信号とが入力される。
デジタルビデオ信号は、例えば、ハイビジョン信号を74.25 ＭＨz でＡ／Ｄ変換された第１の信号に相当する信号であり、パラレルデータである。そのデータレートは、４相処理のため、18.5625 ＭＨz となっている。
【００１１】
デジタルオーディオ信号は、例えば、48ＫＨz でＡ／Ｄ変換された第２の信号に相当する信号であり、シリアルデータである。そのデータレートは、シリアルデータであるため、 3.072ＭＨz （＝48＊64）となっている。尚、この規格は、“日本電子機械工業会；デジタルオーディオインターフェース，ＣＰ−３４０，オーディオ技術委員会，1987年９月制定" によるものである。
【００１２】
擬似雑音発生器１は、ビデオ用の擬似雑音信号を発生させる第１の擬似雑音発生手段であり、擬似雑音発生器２は、オーディオ用の擬似雑音信号を発生させる第２の擬似雑音発生手段である。
擬似雑音信号とは、Pseudo Random Noise の頭文字をとって、ＰＮ系列とも呼ばれるものであり、複数個のシフトレジスタと線形演算回路とで構成されたＭ系列符号（最大周期列符号）発生器を用いて擬似雑音信号を簡単に発生させることができる。
【００１３】
図２は、４つのシフトレジスタを備えた簡単なＭ系列符号発生器の構成例を示す。この図２のＭ系列符号発生器に基づいて擬似雑音について説明する。
このＭ系列符号発生器では、Ｄ形フリップフロップ回路からなる４つのシフトレジスタ31〜34がシリアル接続されている。各シフトレジスタ31〜34のＣＬＫ端子には、クロック信号が入力され、各シフトレジスタ31〜34は、クロック信号が入力される毎にデータをシフトする。
【００１４】
ＥＸ−ＯＲ35は、シフトレジスタ33とシフトレジスタ34との出力の排他的論理和を演算する論理演算素子であり、演算結果をシフトレジスタ31に出力する。
このような構成により、データは、表１に示すように巡回し、15回シフトされて一巡する。したがって、このＭ系列符号発生器の周期は15となる。
【００１５】
【表１】
0003693393.tif 000002
【００１６】
一般に、Ｍ系列符号発生器の周期は、シフトレジスタの個数をｎとすると、（２n −１）で表される。
このＭ系列符号発生器では、シフトレジスタ34の値が出力データとなり、図３に示すようなＭ系列符号（０００１００１１０１０１１１１）が生成される。
【００１７】
ＰＮ系列は、複数個のシフトレジスタによって発生するため、完全なランダムな系列の信号ではないが、ランダム性を確かめる統計上のテストには合格するので、「擬似ランダム」と呼ばれている。
ＰＮ系列は、以下のランダムな性質を有している。
(1) 平衡性
ＰＮ系列の各一周期内で、「１」の出現する回数と「０」の出現する回数は、１しか違わない。図２のＭ系列符号発生器の例では、「０」、「１」の出現回数は、夫々７回、８回であり、その差は、「１」である。
(2) 連なり性
一周期に含まれる「１の連なり」と「０の連なり」のうち、それぞれの連なりの半分は長さが「１」で、1/4 は「２」、1/8 は「３」．．．すなわち、連なり数ｋのものは、1/２k の割合で存在する。図２のＭ系列符号発生器の例では、連なり数は、以下の通りとなる。
【００１８】
0003693393.tif 000003
連なり数１のものは、分類数８の半分で４回、連なり数２のものは、１／４の２回、連なり数３のものは、１／８の１回となる。連なり数４のものは、分類数８の１／１６で、１より小さな端数となり意味がなくなる。
(3) 相関性
ＰＮ系列を巡回させ、あらゆる状態で各項毎に比較を行った場合、一致する項の数と一致しない項の数は、１しか違わない。
【００１９】
一般に、連続時間における信号c(t)と、信号c(t)を時間τだけずらした信号c(t+τ) と、の相関関係は、次式(1) に示すように、連続時間自己相関関数Ｒcc（τ）として定義される。
【００２０】
【数１】
0003693393.tif 000004
【００２１】
・・・・・・・・・・(1)
図２のＭ系列符号発生器の例では、(1) 式により自己相関値を演算すると、位相が一致したときは１となり、その他の位相では、−１／Ｔc になる。従って自己相関関数Ｒcc（τ）は、図４に示すような波形となる。
【００２２】
このようなＰＮ系列の自己相関特性により、広帯域に拡散された信号を集結して元の情報に復元することができる。
図５は、図２に示すようなＭ系列符号発生器に対応した４ビットのＰＮ系列の相関値を検出する相関器の回路例を示す。
即ち、この相関器は、図２の構成のＭ系列符号発生器に対応し、Ｄ形フリップフロップ回路からなる４つのシフトレジスタ41〜44と、ＥＸ−ＯＲ45〜48と、加算器49〜51と、によって構成されている。この相関器は、図２の構成のＭ系列符号発生器と同一パターンの符号を有することになり、元の情報を復元することができる。
【００２３】
次に、本実施の形態における擬似雑音発生器１，２で必要なシフトレジスタ数について考える。
まず、共通周波数について考えると、デジタルビデオ信号、デジタルオーディオ信号のデータレートは、夫々、18.5625 ＭＨz 、 3.072ＭＨz であるから、
ビデオ信号：18562500/(53×３×11) ＝18562500/12375＝1500Ｈz
音声信号  ： 3072000/211          ＝ 3072000/2048 ＝1500Ｈz
となり、共通周波数は1500Ｈz となる。即ち、ビデオ信号とオーディオ信号とのカウント数の比を、 12375：2048とすれば、共通周波数は1500Ｈz となり、ビデオ信号とオーディオ信号との位相合わせを行うことができる。また、
ビデオ信号    ： 12375＝2047×６＋93
オーディオ信号：  2048＝2047×１＋ 1
となり、カウント数2047が共通となる。また、
2047＝２11−１
であるから、2047ビットをＰＮ系列の１周期とすればよい。即ち、本実施の形態では、擬似雑音発生器１，２に、最低でも11個のシフトレジスタを備える必要がある。尚、本実施の形態では、擬似雑音発生器１，２は同一構成のＭ系列符号発生器で構成されるものとする。
【００２４】
また、本実施の形態では、擬似雑音発生器１を384(＝64×6)クロック毎に１回ずつ動作させ、擬似雑音発生器２を64クロック毎に１回ずつ動作させることにする。マーカとしてユニークコードを挿入する方式もあるが、ユニークコードを挿入すると聞きざわりな雑音になる可能性もあり、また、オーディオ信号は圧縮処理されず、さらに、同期信号も介在しないため、このようにしてＰＮ系列を分散して挿入する。
【００２５】
その結果、ＰＮ系列の周期は以下のようになる。
ビデオ信号    ：（2047×６＋93）×64/18562500 ＝43(ms)
オーディオ信号：（2047×１＋１）×64/3072000  ＝43(ms)
この64クロックというのは、前記オーディオ信号の規格に基づいたクロック数である。
【００２６】
但し、この場合は、もっとも短い周期を想定しており、±21(ms)の範囲で位相を合わせることができる。調相範囲を広げたいとき、例えば、±21×10(ms)の範囲で位相を合わるときは、ビデオ用の擬似雑音発生器１を3840（＝64×６×10）クロックに１回動作させ、オーディオ用の擬似雑音発生器２を640(＝64×10）クロックで１回動作させればよい。
【００２７】
カウンタ３，４は、夫々、43msecで 12375，2048カウントし、擬似雑音発生器１，２に、このカウント値を供給する。
レジスタ５，６は、夫々、ビデオ信号用、オーディオ信号用のＰＮ系列を保持し、所定タイミングで加算器７，８に出力するものであり、例えばＤ形フリップフロップ回路によって構成されている。
【００２８】
加算器７は、入力されたデジタルビデオ信号の所定ビットに、擬似雑音発生器１で生成されたビデオ用のＰＮ系列を付加する第１の擬似雑音付加手段である。
ビデオ信号では、図６に示すように、ＰＮ符号の2047ビットをビデオ信号の各画素データに分散して付加する。即ち、ＰＮ符号の各ビットは、ビデオ信号の６画素毎に付加される。また、ビデオ信号の各画素はパラレルデータによって表されるが、ＰＮ符号の１ビットはビデオ信号のパラレルデータの視覚上めだたない１ビットに付加される。このビット位置は、映像信号符号化装置９、映像信号復号化装置13の性能に応じて変化する。即ち、ビデオ信号を完全に復元できるような符号化圧縮が行われるときは、ビデオ信号のＬＳＢ（Least significant bit)にＰＮ系列の１ビットを挿入し、圧縮率が大きく、ビデオ信号を完全に復元できない符号化圧縮が行われるときは、上位ビットにＰＮ系列の１ビットを挿入する。
【００２９】
加算器８は、入力されたデジタルオーディオ信号の１ビットに、擬似雑音発生器２で生成されたオーディオ用のＰＮ系列を付加する第２の擬似雑音付加手段である。オーディオ信号では、図６に示すように、各信号毎にＰＮ系列の１ビットが付加される。オーディオ信号は16ビットのシリアルデータで表されるが、このデータの所定の１ビットにＰＮ系列の１ビットが付加される。
【００３０】
映像信号符号化装置９は、ＰＮ系列が付加されたデジタルビデオ信号を符号化して圧縮処理する装置であり、音声信号処理装置10は、デジタルオーディオ信号を処理する装置である。
伝送装置11は、映像信号符号化装置９の出力信号と音声信号処理装置10の出力信号とを合成して伝送する装置である。
【００３１】
映像信号復号化装置13は、伝送されたビデオ信号を伸張して復号化する装置である。
相関器14は、ビデオ信号のＰＮ系列と同一周期、同一パターンの符号を有し、映像信号復号化装置13の出力信号の相関値を(1) 式に基づいて演算するものであり、相関器21は、オーディオ信号のＰＮ系列と同一周期、同一パターンの符号を有し、可変音声遅延回路20から出力されたオーディオ信号の相関値を(1) 式に基づいて演算する第２の相関値ものである。
【００３２】
相関ピーク検出器15は、相関器14から出力されたビデオ信号の相関パルスに対して所定スライス値を設定し、この相関パルスをスライスしてそのピーク値を検出することによりビデオ信号の位相を検出するものであり、相関ピーク値検出器22は、相関器21から出力されたオーディオ信号の相関パルスに対して所定スライス値を設定し、この相関パルスをスライスしてそのピーク値を検出することによりオーディオ信号の位相を検出するものである。
【００３３】
この相関器14と相関ピーク検出器15とが第１の相関パルス検出手段に相当し、相関器21と相関ピーク検出器22とが第２の相関パルス検出手段に相当する。
補数カウンタ16は、映像信号に対するオーディオ信号の位相差を検出するものであり、この補数カウンタ16は、２の補数を使用してオーディオ信号の位相の遅れと進みとを表すため、ビデオ信号の相関値のピーク値の時間周期をカウントするカウンタ17と、カウンタ17のカウント値を入力して２の補数を作成する補数作成器18と、カウンタ17の最上位ビットの値に基づいてカウンタ17の値又は作成された２の補数を選択するセレクタ19と、によって構成されている。
【００３４】
レジスタ23は、補数カウンタ16のカウント値を保持し、相関ピーク検出器22からオーディオ信号の相関ピークが入力されたとき、保持したカウント値を加算器24に出力する。このカウント値がビデオ信号とオーディオ信号との位相差に相当するカウント値となる。このレジスタ23には、マニュアルで遅延量を合わせるためのリセット信号入力用の端子が備えられている。この端子にリセット信号を入力すると、カウント値０が出力される。
【００３５】
この補数カウンタ16とレジスタ23とが位相差検出手段に相当する。
加算器24は、レジスタ23から出力された補数カウンタ16のカウント値を、オフセット調整量に加算し、可変音声遅延回路20に出力する。
可変音声遅延回路20は、加算器24から出力された値に基づいて、伝送装置11から出力されたオーディオ信号の位相をビデオ信号の位相に合わせるように調整する。
【００３６】
この加算器24と可変音声遅延回路20とが位相差調整手段に相当する。
次に動作を説明する。
図６に示すように、ビデオ信号用の擬似雑音発生器１，２では、夫々、11個のシフトレジスタによりデータが繰り返しシフトされ、１周期で2047ビットのＰＮ系列が生成される。擬似雑音発生器１は 384クロックで１回動作するため、ビデオ信号に対しては 384クロックでＰＮ系列の１ビットが付加される。また、擬似雑音発生器２は64クロックで１回動作するため、オーディオ信号に対しては64クロックでＰＮ系列の１ビットが付加される。ビデオ信号用のＰＮ系列は、レジスタ５に保持された後、加算器７により、ビデオ信号の６個おきの画素データの所定の１ビットに付加され、オーディオ信号用のＰＮ系列は、レジスタ６に保持された後、加算器８により、オーディオ信号の各データの所定の１ビットに付加される。
【００３７】
尚、ビデオ信号の残った93クロック分のデータ、音声信号の１クロック分のデータには、夫々、データ「０」が挿入されるが、この程度の端数であれば、ほとんど無視することができる。
このように、ビデオ信号とオーディオ信号とでは、動作クロックが異なっていても、その周期は一致しており、同位相で同時に擬似雑音を加えたことになる。
【００３８】
ビデオ信号は、映像信号符号化装置９に入力されて符号化されて圧縮され、伝送装置11に出力される。
また、オーディオ信号も音声信号処理装置10で処理されてから伝送装置11に出力される。
ビデオ信号とオーディオ信号とは、伝送装置11によって伝送される。
【００３９】
伝送装置11によるデータの伝送後、ビデオ信号は、映像信号復号化装置13に入力されて復号化され、伸張される。
このビデオ信号が復号化伸張された後、圧縮時の符号量によりビデオ信号とオーディオ信号との位相差が変化するので、付加されたＰＮ系列に基づいてビデオ信号とオーディオ信号との位相合わせが行われる。
【００４０】
まず、最初、レジスタ23にリセット信号を入力する。レジスタ23にリセット信号が入力されると、レジスタ23からカウント値０が加算器24に出力されるので、加算器24でオフセット量を調整し、マニュアルで、おおよその遅延量を合わせておく。
復号化されたビデオ信号は相関器14に入力され、相関器14の中を通過する。ビデオ信号のＰＮ系列は、2047箇所に分散して付加されているので、2047ビットのＰＮ系列がすべて入力されたとき、ＰＮ系列の自己相関性から相関パルスが発生する。
【００４１】
相関ピーク値検出器15では、予め設定された所定スライス値でこの相関パルスをスライスし、スライス値以上であれば、擬似雑音発生回路１，２で発生したＰＮ系列の位相と相関器14にセットされた係数の位相とが一致したと判断される。このスライス値を最大値の1/2 に設定しておけば、2047ビットのＰＮ系列のうち、半分だけ復元されれば相関パルスを検出することができる。
【００４２】
補数カウンタ16において、補数作成器18により２の補数が生成され、セレクタ19により、カウンタ17の最上位ビットの値に基づいてカウンタ17の値又は補数作成器18で生成された２の補数が選択される。これにより、カウンタ17では、０からカウントを開始し、最上位ビットがオーバーフローすると再びカウント値が０になるが、補数カウンタ16から出力されるカウント値は、図７に示すように、ビデオ信号の相関パルスを０として、正負の値として表される。このカウント値は、レジスタ23により保持される。
【００４３】
一方、オーディオ信号も、可変音声遅延回路20を介して相関器21に入力され、同様にして、相関器21により相関値が演算され、相関ピーク検出器22により相関パルスが検出される。
オーディオ信号の相関パルスがレジスタ23に入力されたとき、レジスタ23によって保持されたカウント値は加算器24に出力される。
【００４４】
図７の実線で示すように、オーディオ信号の位相がビデオ信号の位相と一致しているときは、レジスタ23に保持されたカウント値は０となり、加算器24を介してカウント値０が可変音声遅延回路20に入力される。このときは、オーディオ信号の遅延量は０である。
次に、図７の破線で示すように、オーディオ信号の位相がビデオ信号の位相よりも例えばａだけ進むと、位相差ａに対応するカウント値（−ｂ）がレジスタ23に保持されたときに、オーディオ信号の相関パルスが相関ピーク検出器22からレジスタ23に入力され、保持されたカウント値（−ｂ）が加算器24に出力される。加算器24では、カウント値（−ｂ）が加算され、可変音声遅延回路20では、カウント値（−ｂ）に基づいて遅延量ａがセットされ、現在のオーディオ信号の位相に加算される。オーディオ信号は遅延量ａだけ遅延し、可変音声遅延回路20から出力され、ビデオ信号の位相とオーディオ信号の位相が一致する。
【００４５】
かかる構成によれば、夫々、ビデオ信号、オーディオ信号にＰＮ系列を付加して位相合わせを行うので、ビデオ信号、オーディオ信号の符号化圧縮・復号化伸張の処理後でも、精度良く、しかも自動的にビデオ信号とオーディオ信号との位相合わせを行うことができる。またＰＮ系列は広帯域に拡散し、ランダム性を有しているため、ＰＮ系列を付加してもビデオ信号、オーディオ信号には影響を与えない。
【００４６】
また、従来の装置では、ノイズの影響を受けないように、高周波のリファレンス信号を保護する必要があるが、ＰＮ系列を用いることによりノイズの影響を受けることはなく、ＰＮ系列を保護する構成は不必要であり、回路構成を簡易化することができる。さらに、ＰＮ系列が分散してビデオ信号、オーディオ信号に付加されているので、伝送路のノイズ等により一部の位相情報が壊れても影響されず、検出能力が高い。
【００４７】
尚、本実施の形態では、ビデオ信号とオーディオ信号の位相合わせについて説明したが、これに限らず、２つの信号の位相合わせを行う場合であれば、どのような信号にも適用できるし、信号処理も、圧縮処理、伝送処理に限られない。
また、本実施の形態では、ビデオ信号に対してはＰＮ系列をビデオ信号の視覚上めだたないビットに挿入するようにしたため、問題はないが、ＰＮ系列を取り除く復調器を備えるようにしてもよい。
【００４８】
【発明の効果】
以上説明したように、請求項１の発明にかかる装置によれば、擬似雑音信号を用いることにより、高い精度で映像信号及び音声信号の位相差を調整することができる。また、擬似雑音信号は、広帯域に拡散し、ランダム性を有するため、擬似雑音信号を保護する必要もないし、ノイズ等の影響を受けにくい。また、位相情報が分散するため、さらにノイズの影響を受けにくくなり、位相差の検出能力が向上する。そして、信号量が大きく相違する映像信号、音声信号間でも、容易に位相差を求めることができ、位相差を精度よく調整することができる。
【００４９】
請求項２の発明にかかる装置によれば、符号化圧縮、復号化伸張処理により生成される符号量が異なっていても、位相差を精度よく調整することができる。
【図面の簡単な説明】
【図１】本発明の実施の形態の構成を示すブロック図。
【図２】簡単なＭ系列符号発生器の構成説明図。
【図３】図２のＰＮ系列の信号波形図。
【図４】図２の自己相関値の信号波形図。
【図５】図２のＭ系列符号発生器に対応した相関器の構成図。
【図６】図１の動作を示す信号波形図。
【図７】同上信号波形図。
【符号の説明】
１  擬似雑音発生器（ビデオ信号用）
２  擬似雑音発生器（オーディオ信号用）
14，21  相関器
15，22  相関ピーク検出器
18  補数作成器
【図１】
0003693393.tif 000005
【図２】
0003693393.tif 000006
【図３】
0003693393.tif 000007
【図４】
0003693393.tif 000008
【図５】
0003693393.tif 000009
【図６】
0003693393.tif 000010
【図７】
0003693393.tif 000011